(57)【特許請求の範囲】
【請求項１】
運用系装置と待機系装置との間でデータ信号及び制御信号を送受信する送受信システムであって、
前記運用系装置に備えられたマルチプレクサと、
前記運用系装置に備えられたデマルチプレクサと、
前記待機系装置に備えられたマルチプレクサと、
前記待機系装置に備えられたデマルチプレクサと、
前記待機系装置が該待機系装置に接続されている機器から受信し、前記運用系装置の受信装置に送信するデータ信号及び制御信号を、前記待機系装置のマルチプレクサを用いてパラレル／シリアル変換することにより多重化し、１つのシリアル受信信号として前記待機系装置から前記運用系装置に送信し、前記運用系装置のデマルチプレクサを用いてシリアル／パラレル変換することにより逆多重化する手段と、
前記運用系装置の送信装置から入力し、前記待機系装置に接続されている機器に送信するデータ信号及び制御信号を、前記運用系装置のマルチプレクサを用いてパラレル／シリアル変換することにより多重化し、１つのシリアル送信信号として前記運用系装置から前記待機系装置に送信し、前記待機系装置のデマルチプレクサを用いてシリアル／パラレル変換することにより逆多重化する手段と、
を備えることを特徴とする送受信システム。
【請求項２】
請求項１に記載の送受信システムであって、
前記運用系装置に接続されている機器及び前記待機系装置に接続されている機器は同数且つ複数であり、
前記運用系装置のマルチプレクサ、前記待機系装置のマルチプレクサ、前記運用系のデマルチプレクサ及び前記待機系のデマルチプレクサは、それぞれ、複数の機器が送受信する信号を扱うことを特徴とする送受信システム。
【請求項３】
請求項１又は２に記載の送受信システムであって、
前記運用系装置が該運用系装置に接続されている機器から受信したデータ信号及び制御信号を、前記運用系装置の受信装置に供給する手段と、
前記運用系装置の送信装置から入力したデータ信号及び制御信号を、前記運用系装置に接続されている前記機器に送信する手段と、
を更に備えることを特徴とする送受信システム。
【請求項４】
請求項３に記載の送受信システムであって、
前記待機系装置が該待機系装置に接続されている機器から受信したデータ信号及び制御信号の前記運用系装置の受信装置への供給を禁止する手段と、
前記運用系装置が該運用系装置に接続されている機器から受信したデータ信号及び制御信号の前記待機系装置の受信装置への供給を禁止する手段と、
前記待機系装置が該待機系装置に接続されている機器から受信したデータ信号及び制御信号の前記待機系装置の受信装置へ供給する手段と、
前記待機系装置の送信装置から入力したデータ信号及び制御信号の前記運用系装置に接続されている前記機器への送信を禁止する手段と、
前記運用系装置の送信装置から入力したデータ信号及び制御信号の前記待機系装置に接続されている前記機器への送信を禁止する手段と、
前記待機系装置の送信装置から入力したデータ信号及び制御信号を前記待機系に接続されている前記機器へ供給する手段と、
を更に備えることを特徴とする送受信システム。
【請求項５】
請求項１乃至４の何れか１項に記載の送受信システムであって、
ボーレート×Ｍ×Ｎ
であって、
Ｍは、前記シリアル受信信号又は前記シリアル送信信号に要する数値以上の最低の２のべき乗の整数
Ｎは１以上の整数
であることを特徴とする送受信システム。
【請求項６】
運用系装置と待機系装置との間でデータ信号及び制御信号を送受信する送受信方法であって、
前記待機系装置が該待機系装置に接続されている機器から受信し、前記運用系装置の受信装置に送信するデータ信号及び制御信号を、前記待機系装置のマルチプレクサを用いてパラレル／シリアル変換することにより多重化し、１つのシリアル受信信号として前記待機系装置から前記運用系装置に送信し、前記運用系装置のデマルチプレクサを用いてシリアル／パラレル変換することにより逆多重化するステップと、
前記運用系装置の送信装置から入力し、前記待機系装置に接続されている機器に送信するデータ信号及び制御信号を、前記運用系装置のマルチプレクサを用いてパラレル／シリアル変換することにより多重化し、１つのシリアル送信信号として前記運用系装置から前記待機系装置に送信し、前記待機系装置のデマルチプレクサを用いてシリアル／パラレル変換することにより逆多重化するステップと、
を有することを特徴とする送受信方法。
【請求項７】
請求項６に記載の送受信方法であって、
前記運用系装置に接続されている機器及び前記待機系装置に接続されている機器は同数且つ複数であり、
前記運用系装置のマルチプレクサ、前記待機系装置のマルチプレクサ、前記運用系のデマルチプレクサ及び前記待機系のデマルチプレクサは、それぞれ、複数の機器が送受信する信号を扱うことを特徴とする送受信方法。
【請求項８】
請求項６又は７に記載の送受信方法であって、
前記運用系装置が該運用系装置に接続されている機器から受信したデータ信号及び制御信号を、前記運用系装置の受信装置に供給するステップと、
前記運用系装置の送信装置から入力したデータ信号及び制御信号を、前記運用系装置に接続されている前記機器に送信するステップと、
を更に備えることを特徴とする送受信方法。
【請求項９】
請求項８に記載の送受信方法であって、
前記待機系装置が該待機系装置に接続されている機器から受信したデータ信号及び制御信号の前記運用系装置の受信装置への供給を禁止するステップと、
前記運用系装置が該運用系装置に接続されている機器から受信したデータ信号及び制御信号の前記待機系装置の受信装置への供給を禁止するステップと、
前記待機系装置が該待機系装置に接続されている機器から受信したデータ信号及び制御信号の前記待機系装置の受信装置へ供給するステップと、
前記待機系装置の送信装置から入力したデータ信号及び制御信号の前記運用系装置に接続されている前記機器への送信を禁止するステップと、
前記運用系装置の送信装置から入力したデータ信号及び制御信号の前記待機系装置に接続されている前記機器への送信を禁止するステップと、
前記待機系装置の送信装置から入力したデータ信号及び制御信号を前記待機系に接続されている前記機器へ供給するステップと、
を更に備えることを特徴とする送受信方法。
【請求項１０】
請求項６乃至９の何れか１に記載の送受信方法であって、
ボーレート×Ｍ×Ｎ
であって、
Ｍは、前記シリアル受信信号又は前記シリアル送信信号に要する数値以上の最低の２のべき乗の整数
Ｎは１以上の整数
であることを特徴とする送受信方法。
【発明の詳細な説明】
【技術分野】
【０００１】
本発明は、運用系装置と待機系装置との間でデータ信号及び制御信号を送受信する送受信システム及び送受信方法に関する。
【背景技術】
【０００２】
交換機等（以下、「装置」という。）において、ＲＳ２３２−Ｃシリアルインタフェースから装置のパラメータ等を設定をすることがある。また、ＲＳ２３２−Ｃシリアルインタフェースを有するプリンタを装置に接続する構成が存在する。
【０００３】
このような装置を、運用系装置と待機系装置を含む二重化装置にすることにより、信頼性を向上させることがある。二重化装置において、運用系装置に障害が発生した場合などに、それまでの待機系装置を運用系装置として新たに利用する。この場合、ＲＳ２３２−Ｃシリアルインタフェースでそれまでの運用系装置に接続されているプリンタ等を、人的操作なしに待機系装置に接続する必要がある。
【０００４】
特許文献１には、運用系スイッチに第１データ変換部等を設け、予備系スイッチに第２データ変換部等を設け、第１データ変換部と第２データ変換部とを、第１転送線と第２転送線と第３転送線とにより双方向に接続し、第１転送線でシリアルデータを双方向に転送し、第２転送線でクロックを双方向に転送し、第３転送線でフレームパルスを双方向に転送する技術が記載されている。
【０００５】
特許文献２には、送信側のデータ転送装置で、パラレルの状態制御信号とパラレルのデータ信号とを合わせてパラレル／シリアル変換することにより、１つのシリアル信号に変換し、このシリアル信号と、クロック信号と、同期信号とを受信側のデータ転送装置に送信する技術が記載されている。
【先行技術文献】
【特許文献】
【０００６】
【特許文献１】特開２００２−２６２３７５号公報（段落［００１３］〜［００１５］等）
【特許文献２】特開平１１−０７４８５６号公報（段落［００１３］等）
【発明の概要】
【発明が解決しようとする課題】
【０００７】
特許文献１に記載の技術では、運用系装置（運用系スイッチ）に接続された機器から受信した信号及び運用系装置（運用系スイッチ）に接続された機器に送信しようとする信号を運用系装置（運用系スイッチ）に接続された送受信装置で扱うことができるが、待機系装置（予備系スイッチ）に接続された機器から受信した信号及び待機系装置（予備系スイッチ）に接続された機器に送信しようとする信号を、運用系装置（運用系スイッチ）に搭載された送受信装置で扱うようにすることができない。特許文献２に記載の技術でも同様である。
【０００８】
このようなことができるならば、運用系装置と待機系装置とが入れ替わった場合に、それまでの運用系装置に接続されていた機器を新たな運用系装置（それまでの待機系装置）に接続し直さなくてもその機器を使用し続けることができるので、運用系装置が入れ替わる度に機器の接続先を変える必要性はなくなり、従って、保守性が増す。
【０００９】
そこで、本発明は、待機系装置に接続された機器から受信した信号及び待機系装置に接続された機器に送信しようとする信号を、運用系装置に搭載された送受信装置で扱うようにすることを可能とする送受信システム及び送受信方法を提供することを目的とする。
【課題を解決するための手段】
【００１０】
本発明によれば、運用系装置と待機系装置との間でデータ信号及び制御信号を送受信する送受信システムであって、前記運用系装置に備えられたマルチプレクサと、前記運用系装置に備えられたデマルチプレクサと、前記待機系装置に備えられたマルチプレクサと、前記待機系装置に備えられたデマルチプレクサと、前記待機系装置が該待機系装置に接続されている機器から受信し、前記運用系装置の受信装置に送信するデータ信号及び制御信号を、前記待機系装置のマルチプレクサを用いてパラレル／シリアル変換することにより多重化し、１つのシリアル受信信号として前記待機系装置から前記運用系装置に送信し、前記運用系装置のデマルチプレクサを用いてシリアル／パラレル変換することにより逆多重化する手段と、前記運用系装置の送信装置から入力し、前記待機系装置に接続されている機器に送信するデータ信号及び制御信号を、前記運用系装置のマルチプレクサを用いてパラレル／シリアル変換することにより多重化し、１つのシリアル送信信号として前記運用系装置から前記待機系装置に送信し、前記待機系装置のデマルチプレクサを用いてシリアル／パラレル変換することにより逆多重化する手段と、を備えることを特徴とする送受信システムが提供される。
【００１１】
また、本発明によれば、運用系装置と待機系装置との間でデータ信号及び制御信号を送受信する送受信方法であって、前記待機系装置が該待機系装置に接続されている機器から受信し、前記運用系装置の受信装置に送信するデータ信号及び制御信号を、前記待機系装置のマルチプレクサを用いてパラレル／シリアル変換することにより多重化し、１つのシリアル受信信号として前記待機系装置から前記運用系装置に送信し、前記運用系装置のデマルチプレクサを用いてシリアル／パラレル変換することにより逆多重化するステップと、前記運用系装置の送信装置から入力し、前記待機系装置に接続されている機器に送信するデータ信号及び制御信号を、前記運用系装置のマルチプレクサを用いてパラレル／シリアル変換することにより多重化し、１つのシリアル送信信号として前記運用系装置から前記待機系装置に送信し、前記待機系装置のデマルチプレクサを用いてシリアル／パラレル変換することにより逆多重化するステップと、を有することを特徴とする送受信方法が提供される。
【発明の効果】
【００１２】
本発明によれば、前記待機系装置が該待機系装置に接続されている機器から受信し、前記運用系装置の受信装置に送信するデータ信号及び制御信号を、前記待機系装置のマルチプレクサを用いてパラレル／シリアル変換することにより多重化し、１つのシリアル受信信号として前記待機系装置から前記運用系装置に送信し、前記運用系装置のデマルチプレクサを用いてシリアル／パラレル変換することにより逆多重化する手段と、前記運用系装置の送信装置から入力し、前記待機系装置に接続されている機器に送信するデータ信号及び制御信号を、前記運用系装置のマルチプレクサを用いてパラレル／シリアル変換することにより多重化し、１つのシリアル送信信号として前記運用系装置から前記待機系装置に送信し、前記待機系装置のデマルチプレクサを用いてシリアル／パラレル変換することにより逆多重化する手段と、を備えるので、待機系装置に接続された機器から受信した信号及び待機系装置に接続された機器に送信しようとする信号を、運用系装置に搭載された送受信装置で扱うようにすることができる。
【図面の簡単な説明】
【００１３】
【図１】本発明に係る送受信システムの一実施形態を示すブロック図である。
【図２】図１の送受信システムの各部の信号を示す図である。
【図３】ＵＡＲＴが受信側の場合のＵＡＲＴ接続状態を示す図である。
【図４】ＵＡＲＴが受信側の場合の状態１を示す図である。
【図５】ＵＡＲＴが受信側の場合の状態２を示す図である。
【図６】ＵＡＲＴが受信側の場合の状態３を示す図である。
【図７】ＵＡＲＴが受信側の場合の状態４を示す図である。
【図８】ＵＡＲＴが送信側の場合のＵＡＲＴ接続状態を示す図である。
【図９】ＵＡＲＴが送信側の場合の状態１を示す図である。
【図１０】ＵＡＲＴが送信側の場合の状態２を示す図である。
【図１１】ＵＡＲＴが送信側の場合の状態３を示す図である。
【図１２】ＵＡＲＴが送信側の場合の状態４を示す図である。
【発明を実施するための形態】
【００１４】
以下、図面を参照して本発明を実施するための形態について詳細に説明する。ＲＳ２３２−Ｃポートを具備する二重化装置において、運用系と待機系の切替えの際、運用系ＲＳ２３２−Ｃポートに接続されている機器を、待機系ＲＳ２３２−Ｃポートに切替える必要があり、運用系と待機系間で制御信号とデータの通信が必要である。
【００１５】
本発明は、ＲＳ２３２−Ｃの制御信号及びデータを多重化することにより、運用系と待機系間の制御信号・データの通信を、例えば、４本の信号線で実現することに特徴がある。
【００１６】
ＲＳ２３２−Ｃの調歩同期インタフェースは、制御信号５本とデータ２本を具備する。制御信号は、入力信号であるＤＣＤ（キャリア検出）、ＤＳＲ（データセットレディ）、ＣＴＳ（送信可）と出力信号であるＤＴＲ（データ端末レディ）、ＲＴＳ（送信リクエスト）からなり、データはＲｘＤ（受信データ）とＳｘＤ（送信データ）からなる。
【００１７】
本実施形態では、図１に示すようにこれらの制御信号とデータを多重化して２本の信号線に変換し、運用系装置から待機系へ制御信号及びデータを渡す。送信クロックには、例えば、ＲＳ２３２−Ｃのボーレートを生成するクロック１１．０５９２ＭＨｚを使用する。多重化した信号の１フレームは、例えば、１１．０５９２Ｍｚの１８クロック分とし、フレームの先頭を示すフレームヘッド信号を生成する。これらのクロック１本・フレームヘッド１本・多重化信号２本の合計４本で運用系と待機系間の制御信号とデータの転送を行う。
【実施例】
【００１８】
次に、本発明の実施例を図面を参照して詳細に説明する。二重化装置には、運用系と待機系があり、通常は運用系で動作する。運用系に異常が生じた場合には待機系に切り替わり動作する。二重化装置にはホットスタンバイ方式とコールドスタンバイ方式の二種類が存在するが、本実施例ではコールドスタンバイ方式に適用する。コールドスタンバイ方式とは、待機系が非動作状態で待機しており、運用系が異常になると起動する方式である。
【００１９】
図１は二重化装置のＲＳ２３２−Ｃインタフェース部分を示すブロック図である。運用系と待機系は同装置のため構成は同様である。以下では運用系を説明するが、待機系も同様である。
【００２０】
ＲＳ２３２−Ｃインタフェースは、通常、ＲＳ２３２−Ｃの電気的特性を満足するＲＳ２３２−Ｃトランシーバ調歩同期方式によるシリアル／パラレル変換を行うＵＡＲＴ（Universal Asynchronous Receiver Transmitter）から構成されている。
【００２１】
図１に示す実施例では、ＲＳ２３２−Ｃトランシーバ１２とＵＡＲＴ１４の間にセレクタ１３が追加されている。このセレクタ１３は、ＲＳ２３２−Ｃトランシーバ１２からの制御信号及びデータを、ＵＡＲＴ１４かマルチプレクサ／デマルチプレクサ１５のどちらに接続するかを決めるセレクタである。
【００２２】
セレクタ１３の後段には、制御信号とデータを多重化するためのマルチプレクサ回路と、待機系からの多重化データを分離するためのデマルチプレクサ回路が必要となる。マルチプレクサ／デマルチプレクサ１５は、このマルチプレクサ回路とデマルチプレクサ回路を備えている。
【００２３】
その際、本実施例においては、待機系が該待機系に接続されているＲＳ−２３２Ｃ機器から受信し、運用系の受信装置（ＵＡＲＴ）に送信するデータ信号及び制御信号を、待機系のマルチプレクサ回路を用いてパラレル／シリアル変換することにより多重化し、１つのシリアル受信信号として待機系から運用系に送信し、運用系のデマルチプレクサ回路を用いてシリアル／パラレル変換することにより逆多重化する。
【００２４】
また、運用系の送信装置（ＵＡＲＴ）から入力し、待機系に接続されているＲＳ−２３２Ｃ機器に送信するデータ信号及び制御信号を、運用系のマルチプレクサ回路を用いてパラレル／シリアル変換することにより多重化し、１つのシリアル送信信号として運用系から待機系に送信し、待機系のデマルチプレクサ回路を用いてシリアル／パラレル変換することにより逆多重化する。
【００２５】
更に、クロック／フレームヘッド生成回路１６は、マルチプレクサ／デマルチプレクサ１５で多重化信号を生成するためのクロックを生成し、更に待機系へ多重化信号フレームの先頭を伝達するためのフレームヘッドを生成する。マルチプレクサ／デマルチプレクサ１５はこれらのクロックとフレームヘッドを使用して図２のような多重化データを生成する。また、多重化データを図２のタイミングで分離する。
【００２６】
図２の上側に示す信号のうちクロック、フレームヘッド、多重化信号（出力）は、運用系側のマルチプレクサ／デマルチプレクサ１５から待機系側のマルチプレクサ／デマルチプレクサ２５に送信される信号である。ＲＴＳ、ＤＴＲは運用系側の制御信号を示す。
【００２７】
また、図２の下側に示す信号のうちクロック、フレームヘッド、多重化信号（入力）は、待機系側のマルチプレクサ／デマルチプレクサ２５から運用系側のマルチプレクサ／デマルチプレクサ１５に送信される信号である。ＲＴＳ、ＤＴＲは待機系側の制御信号を示す。
【００２８】
このような回路構成で、ＲＳ２３２−Ｃ接続機器からの制御信号とデータを多重化し、４本の信号線で送受信を行う。ＲＳ２３２−Ｃインタフェースには、図１に示すようにプリンタ等の装置（ＲＳ２３２−Ｃ接続機器１０）が接続されているものとする。
【００２９】
通常、運用系で動作している場合には、制御信号及びデータは運用系のＲＳ２３２−Ｃトランシーバ１２を介してセレクタ１３に入力される。通常動作中は、セレクタ１３はＵＡＲＴ１４に接続するようスイッチングされる。セレクタ１３によりＵＡＲＴ１４に接続されている場合は、前述した一般的なＲＳ２３２−Ｃの回路構成と同等である。
【００３０】
次に、運用系が何らかの異常により待機系に切り替わった場合の動作を説明する。運用系が異常により待機系に切り替わった場合においても、人的操作を除いてはＲＳ２３２−Ｃ接続機器は運用系のコネクタに接続された状態である。ＲＳ２３２−Ｃ接続機器は運用系のＲＳ２３２−Ｃトランシーバ１２を介してセレクタ１３に接続されるのは先程と同様である。但し、セレクタ１３はマルチプレクサ／デマルチプレクサ１５側にスイッチングする。これにより、ＲＳ２３２−Ｃ接続機器との接続は、運用系のＵＡＲＴ１４ではなく、マルチプレクサ／デマルチプレクサ１５と接続されることになる。
【００３１】
マルチプレクサ／デマルチプレクサ１５は待機系のクロック／フレームヘッド生成回路２６からクロックとフレームヘッドを受信し、図２のフォーマットにしたがって多重化データを生成する。ここで、待機系のクロック／フレームヘッド生成回路２６で生成されたクロックとフレームヘッドを使用するのは、動作している装置のクロックでＲＳ２３２−Ｃ接続機器１０へ出力する必要があるからである。
【００３２】
待機系のマルチプレクサ／デマルチプレクサ２５は、マルチプレクサ／デマルチプレクサ１５で生成された多重化信号を分離し、セレクタ２３へ送信する。セレクタ２３はＵＡＲＴ２４側へスイッチングする。これにより、待機系のＵＡＲＴ２４とＲＳ２３２−Ｃ接続機器１０との接続が確立される。この構成は、待機系にＲＳ２３２−Ｃ接続機器が接続されている状態においても、運用系への接続切替えを行う場合も同様である。
【００３３】
本発明は、上記実施例に限定されるものではなく、ＲＳ２３２−Ｃインタフェースを具備する二重化装置で、例えば、プリンタやモデムを接続するような装置にも適用できる。
【００３４】
次に、本発明の二重化装置におけるＲＳ２３２−Ｃの二重化方法について詳細に説明する。図３は０系（例えば運用系）と１系（例えば待機系）のセレクタ及びマルチプレクサ／デマルチプレクサを詳細に示す。即ち、図３はＵＡＲＴが受信側の場合のＵＡＲＴ接続状態を示す。
【００３５】
ここで、二重化装置とは一方（０系）のユニットが運用系（ＡＣＴ）として動作し、他方（１系）のユニットが待機系（ＳＴＢＹ）となり、運用系に障害が発生した場合には自動的に０系が待機系となり、１系が運用系として動作することをいう。待機系は運用系の可動状態を常時監視し、運用系の動作停止を検出した場合に自動的に系の切替を行う。
【００３６】
図中１３−１、１３−２、１３−４は０系のセレクタ内のゲート、１３−３は論理和回路である。２３−１、２３−２、２３−４は１系のセレクタ１３内のゲート、２３−３は論理和回路である。１５−１は０系のマルチプレクサ／デマルチプレクサ１５内のマルチプレクサ、１５−２はデマルチプレクサである。２５−１は１系のマルチプレクサ／デマルチプレクサ２５内のマルチプレクサ、２５−２はデマルチプレクサである。
【００３７】
０系のマルチプレクサ／デマルチプレクサ１５−１と１系のマルチプレクサ／デマルチプレクサ２５−１間では、上述のように制御信号（２本）と多重化信号（２本）の送受信が行われる。
【００３８】
図４、図５、図６、図７はＵＡＲＴが受信側の場合の各状態を示す図である。図中のゲートに×印を示すのはそのゲートが開状態（ＯＦＦ）であることを示す。ゲート上に何も示していないのはそのゲートが閉状態（ＯＮ）であることを示す。図４は状態１を示しており、ゲート２３−４のみが開状態である。状態１では、例えば、０系が運用系、１系が待機系として動作しており、図１のＲＳ２３２−Ｃ接続機器１０が運用系、待機系のどちらに接続されていても、論理和回路１３−３で論理和をとっているため、接続機器からのＲＳ２３２−Ｃ信号をＵＡＲＴ１４で受信することが可能となる。
【００３９】
図５は状態２を示す。状態２ではゲート２３−１、２３−２が開状態、その他のゲートは閉状態である。状態２では、０系が運用系、１系が保守系（保守中）として動作しているが、ゲート２３−１、２３−２１が開状態であるため、１系（保守系）では０系（運用系）の運用を中断することなく、１系（保守系）に接続機器を接続して１系を独立して接続テスト等を行うことが可能となる。保守中の動作は後述する。
【００４０】
図６は状態３を示す。状態３では、ゲート１３−４、２３−１、２３−２が開状態、その他のゲートは閉状態である。状態３では、０系が待機系、１系が保守系（保守系）であり、両方の系とも運用していない。この状態では、１系（保守系）では０系（待機系）に影響を与えることなく、上述のような接続テスト等を行うことが可能となる。
【００４１】
図７は状態４を示す。状態４ではゲート１３−１、１３−２、２３−１、２３−２が開状態、その他のゲートは閉状態である。状態４では、０系、１系とも保守系（保守中）であり、両方の系とも運用していない状態であるが、０系、１系とも独立して上述のような接続テスト等を行うことが可能となる。
【００４２】
図８はＵＡＲＴが送信側の場合の０系と１系のセレクタ及びマルチプレクサ／デマルチプレクサを詳細に示す。即ち、図８はＵＡＲＴが送信側の場合のＵＡＲＴ接続状態を示す。図中１３−６、１３−７、１３−８は０系のセレクタ内のゲート、１３−５は論理和回路である。
【００４３】
また、２３−６、２３−７、２３−８は１系のセレクタ２３内のゲート、２３−５は論理和回路である。１５−３は０系のマルチプレクサ／デマルチプレクサ１５内のデマルチプレクサ、１５−４はマルチプレクサである。２５−４は１系のマルチプレクサ／デマルチプレクサ２５内のマルチプレクサ、２５−３はデマルチプレクサである。
【００４４】
図９、図１０、図１１、図１２はＵＡＲＴが送信側の場合の各状態を示す図である。ゲートに×印を示すのはそのゲートが開状態（ＯＦＦ）であることを示す。ゲート上に何も示していないのはそのゲートが閉状態（ＯＮ）であることを示す。なお、図９〜図１２はＵＡＲＴが送信側の場合の状態であり、図４〜図７のＵＡＲＴが受信側の場合の動作に対して逆方向の動作となる。
【００４５】
図９は状態１を示しており、ゲート２３−８のみが開状態である。状態１では、例えば、０系が運用系、１系が待機系として動作しており、図１のＲＳ２３２−Ｃ接続機器１０が運用系、待機系のどちらに接続されていても、論理和回路１３−５、２３−５で論理和をとっているため、ＵＡＲＴ１４からの信号をどちらの機器にも送信することが可能となる。
【００４６】
図１０は状態２を示す。状態２ではゲート２３−６、２３−７が開状態、その他のゲートは閉状態である。状態２では、０系が運用系、１系が保守系（保守中）として動作しているが、１系（保守系）では０系（運用系）の運用を中断することなく、１系（保守系）に接続機器を接続して１系を独立して接続テスト等を行うことが可能となる。
【００４７】
図１１は状態３を示す。状態３では、ゲート１３−８、２３−６、２３−７が開状態、その他のゲートは閉状態である。状態３では、０系が待機系、１系が保守系（保守中）であり、両方の系とも運用していない。この状態では、１系（保守系）では０系（待機系）に影響を与えることなく、上述のような接続テスト等を行うことが可能となる。
【００４８】
図１２は状態４を示す。状態４ではゲート１３−６、１３−７、２３−６、２３−７が開状態、その他のゲートは閉状態である。状態４では、０系、１系とも保守系（保守中）であり、両方の系とも運用していない状態であるが、０系、１系とも独立して上述のような接続テスト等を行うことができる。
【００４９】
次に、本発明を更に詳細に説明する。
【００５０】
（１）本発明は、運用系のＲＳ２３２−Ｃ信号を待機系に接続する際にＲＳ２３２−Ｃ通信速度より高いサンプリングレートでサンプリングし、データ及び制御信号をシリアルデータに変換して信号線の本数を削減することが可能である（７本→４本）。
【００５１】
本発明では、マルチプレクサ／デマルチプレクサでパラレル→シリアル変換する際に受信データをそのまま待機系に送信しているため、スタートビット検出によるデータ同期の必要性はない。あくまでも、全てのデータ（データ・制御信号）をシリパラ・パラシリしているだけであるため、スタートビットの検出は関係なく、スタートビットは従来通りＵＡＲＴで検出となる。
【００５２】
（２）本発明は、運用系における複数（２つ以上）ポートのＲＳ２３２−Ｃ信号を多重化して待機系と接続し、信号線の数を削減することが可能である（７本×ポート数→４本）。
【００５３】
即ち、運用系及び待機系には、例えば、２ポート（図２の＃Ａ、＃Ｂ）のＲＳ２３２−Ｃポートを有し、図１において各装置には、２組の入出力コネクタ、ＲＳ２３２−Ｃドライバ、セレクタ、ＵＡＲＴを有する。なお、図１では２ポート目の入出力コネクタは省略されている。
【００５４】
図２の多重化信号＃Ａ及び＃Ｂは各ポートのＲＳ２３２−Ｃ信号であり、マルチプレクサに入力された２ポート分の信号は、図２では１８クロック間隔のフレーム毎に２ポート分（７ビット×２個）のデータを多重化して送受信を行う。本方式により、ＲＳ２３２−Ｃのポート毎に二重化の各装置間の信号線を設ける必要が無く、信号線の本数を削減できる。
【００５５】
（３）本発明はＲＳ２３２−Ｃ信号をシリアル化するマルチプレクサのサンプリングレートは、ＲＳ２３２−Ｃ通信速度の１６倍×送受信ビット数もしくはその整数倍とする（ボーレート×１６×送受信ビット数×Ｎ）。
【００５６】
即ち、運用系と待機系を接続する場合、上記実施例のボーレートは、３８．４Ｋｂｐｓ以下である。上記実施例の最高ボーレートの時のサンプリングレート：３８．４Ｋｂｐｓ×１６倍×１８＝１１.０５９２Ｍｂｐｓである。ＵＡＲＴは一般的にＲＳ２３２−Ｃ通信速度の１６倍のクロックでＲＳ２３２−Ｃ信号をサンプリングして受信する。
【００５７】
マルチプレクサは運用系のＵＡＲＴに入力される信号を通信速度の１６倍×Ｎ倍のクロックでサンプリングして多重化することにより、待機系のＵＡＲＴがサンプリングするタイミング以上の細かな間隔に波形を再現することが可能となる。通信速度が遅い場合にはＮ倍のスピードでサンプリングされるため、より再現される波形の精度は高くなる。
【００５８】
なお、３８．４Ｋｂｐｓの場合は１６倍、１９．２Ｋｂｐｓの場合は１６×２＝３２倍（２倍）、９．６Ｋｂｐｓの場合は１６×４＝６４倍（４倍）となる。上記実施例では１１．０５９２Ｍｂｐｓ／１８の値が割り切れる１倍、２倍、４倍となるが、高いクロックでサンプリングすれば良く、３倍、５倍でも可能であるため整数倍とする。また、図２に示す実施例のサンプリング方法はＲＳ−２３２Ｃの各信号を伝送クロックの１１．０５９２Ｍｂｐｓで順次サンプリングしているが、フレームヘッドのタイミングで全てのＲＳ２３２−Ｃ信号を読み込んでも良い。
【００５９】
（４）本発明は、ＲＳ２３２−Ｃ入力ポートからＵＡＲＴへのＲＳ２３２−Ｃ信号と二重化の他方装置からのＲＳ２３２−Ｃ信号の論理和をとることにより、何れの装置の入力ポートにＲＳ２３２−Ｃ機器を接続した場合でもＲＳ２３２−Ｃ機器との通信が可能である。
【００６０】
図４等に示すように、０系は最初の運用系、１系は最初の待機系とし、０系に障害が発生した場合には１系が運用系になり、０系が待機系となる。ＵＡＲＴを接続するスイッチ（図４等のゲート）は運用系の場合はＯＮとなり、待機系の場合はＯＦＦとなる。
【００６１】
通常は運用系（０系）の入出力コネクタ１１にＲＳ２３２−Ｃ機器を接続して運用し、０系の入出力コネクタ１１からのＲＳ２３２−Ｃ信号は論理和回路１３−３を通してＵＡＲＴ１４に入力される。この場合、１系（待機系）の入出力コネクタ２１にはＲＳ２３２−Ｃ機器は接続されていないので、０系の入出力コネクタ１１からの信号だけが入力される。
【００６２】
一方、０系に障害が発生した場合には、０系が待機系、１系が運用系となり、０系のスイッチがＯＦＦ、１系のスイッチがＯＮになる。この状態では、待機系（０系）の入出力コネクタ１１に接続されたＲＳ２３２−Ｃ機器のＲＳ２３２−Ｃ信号は運用系（１系）の論理和回路２３−３を通して運用系（１系）のＵＡＲＴ２４に入力され、１系の装置で障害が発生している０系に接続されたＲＳ２３２−Ｃ機器との通信が可能となる。
【００６３】
ここで、ＲＳ２３２−Ｃ機器１０を待機系（０系）から運用系（１系）の入出力コネクタに接続を切替えても、１系の入出力コネクタからのＲＳ２３２−Ｃ信号は論理和回路２３−３を通して運用系（１系）のＵＡＲＴ２４に入力される（図４等参照）。
【００６４】
この様にＲＳ２３２−Ｃコネクタからの信号と接続された他方の装置からのＲＳ２３２−Ｃ信号の論理和をとってＵＡＲＴに入力することにより、障害発生時には障害が発生した０系の装置に接続されたＲＳ２３２−Ｃ機器と新しい運用系（１系）のＵＡＲＴと通信を継続できる。また、０系装置の修理（保守）を行う場合には、元の運用系（０系）からＲＳ２３２−Ｃ機器を新しい運用系（１系）に繋ぎ変えるだけで新しい運用系（１系）のＵＡＲＴで受信可能となる（但し、同時接続は不可）。
【００６５】
（５）本発明は、自ＣＰＵ接続の設定により二重化の他方装置からの入力を禁止し、自ＣＰＵ接続の設定をした装置に接続されたＲＳ２３２−Ｃ機器との通信が可能である。運用系、待機系の各装置には「ＡＣＴ／ＳＴＢＹ設定に従う」、「ＡＣＴ／ＳＴＢＹ設定に従わない（自ＣＰＵ接続）」のいずれかの設定を行う。通常、ＲＳ２３２−Ｃ信号の自動切替を行う場合には両装置とも「ＡＣＴ／ＳＴＢＹ設定に従う」に設定する。
【００６６】
図３は上述のようにＵＡＲＴが受信側の場合のＵＡＲＴ接続状態を、図８はＵＡＲＴが送信側の場合のＵＡＲＴ接続状態を示す（図３等ではＲＳ２３２−Ｃトランシーバ等は省略している）。また、図４〜図７にはＵＡＲＴが受信側の場合の各状態を示す。
【００６７】
０系、１系の両装置が「ＡＣＴ／ＳＴＢＹ設定に従う」に設定されている場合には、図４に示すように運用系（０系）に接続されたＲＳ２３２−Ｃ機器は０系のＵＡＲＴ１４と通信すると共に、ゲート２３−１及び２３−２がＯＮのため、待機系（１系）に送られる。但し、１系のゲート２３−４がＯＦＦのため、１系のＵＡＲＴ２４には入力されない。
【００６８】
この状態で運用系が０系から１系に切り替わった場合には、０系のゲート１３−４がＯＦＦになり、１系のゲート２３−４がＯＮになる。この時、０系と１系のゲート１３−１及び２３−２、２３−１、２３−２がＯＮのため、０系の入出力コネクタに接続されたＲＳ２３２−Ｃ機器は、１系のＵＡＲＴと通信が可能となる。
【００６９】
また、図４の状態では、待機系（１系）のＲＳ２３２−Ｃ入出コネクタは、待機系のＵＡＲＴ２４に接続状態となっていないため（１系のゲート２３−４がＯＦＦ）、待機系に接続されたＲＳ２３２−Ｃ機器と通信できない。この場合、待機系（１系）を「ＡＣＴ／ＳＴＢＹ設定に従わない（自ＣＰＵ接続）」に設定すると、図５に示すように１系のゲート２３−１及び２３−２がＯＦＦ、ゲート２３−４がＯＮになるため、待機系（１系）に接続されたＲＳ２３２−Ｃ機器は待機系のＵＡＲＴに接続され、通信が可能となる（保守用機能）。図５は１系が保守機能になった例を示す。
【００７０】
ここで、通常であれば、例えば、０系を運用系（ＡＣＴ）、１系を待機系（ＳＴＢＹ）で運用し、運用系（０系）にＲＳ２３２−Ｃ機器を接続して運用している状態で、待機系装置にデータを登録する場合には、待機系のＲＳ２３２−Ｃ入出力コネクタにＲＳ２３２−Ｃ機器（データ登録機器等）を接続しても、待機系のＵＡＲＴと接続されない。
【００７１】
その場合、本発明によれば、１系を「ＡＣＴ／ＳＴＢＹ設定に従わない（自ＣＰＵ接続）」に設定することにより、運用系（０系）の入出力コネクタにＲＳ−２３２Ｃ機器を接続し、この機器と運用系（０系）のＵＡＲＴが通信している状態でも、待機系（１系）のＲＳ２３２−Ｃコネクタに接続されたデータ登録装置が待機系（１系）のＵＡＲＴに接続され、待機系（１系）のデータ設定が可能となる。
【００７２】
なお、初期工事等の場合には、０系と１系の両装置を「ＡＣＴ／ＳＴＢＹ設定に従わない（自ＣＰＵ接続）」に設定することにより、両装置にデータ登録装置を接続してデータ設定が可能となる（図７に示す状態）。なお、図４等に示すゲート１３−２、２３−２はマルチプレクサと論理和回路の間に位置し、論理和回路への入力をＯＮ／ＯＦＦする。
【００７３】
特許文献１に記載の技術では、上述のように運用系装置（運用系スイッチ）に接続された機器から受信した信号及び運用系装置（運用系スイッチ）に接続された機器に送信しようとする信号を運用系装置（運用系スイッチ）に接続された送受信装置で扱うことができるが、待機系装置（予備系スイッチ）に接続された機器から受信した信号及び待機系装置（予備系スイッチ）に接続された機器に送信しようとする信号を、運用系装置（運用系スイッチ）に搭載された送受信装置で扱うようにすることができない。特許文献２に記載の技術でも同様である。
【００７４】
このようなことができるならば、運用系装置と待機系装置とが入れ替わった場合に、それまでの運用系装置に接続されていた機器を新たな運用系装置（それまでの待機系装置）に接続し直さなくてもその機器を使用し続けることができるので、運用系装置が入れ替わる度に機器の接続先を変える必要性はなくなり、従って、保守性が増す。
【００７５】
本実施形態では、運用系装置に接続された機器から受信した信号及び運用系装置に接続された機器に送信しようとする信号のみならず、待機系装置に接続された機器から受信した信号及び待機系装置に接続された機器に送信しようとする信号も、運用系装置に搭載された送受信装置で扱うようにすることが可能となる。
【００７６】
本発明の実施形態によれば、運用系装置及び待機系装置のそれぞれに複数の機器が搭載された場合であっても、それに対応することができる。
【００７７】
上記の実施形態の一部又は全部は、以下の付記のようにも記載されうるが、以下には限られない。
【００７８】
（付記１）運用系装置と待機系装置との間でデータ信号及び制御信号を送受信する送受信システムであって、
前記運用系装置に備えられたマルチプレクサと、
前記運用系装置に備えられたデマルチプレクサと、
前記待機系装置に備えられたマルチプレクサと、
前記待機系装置に備えられたデマルチプレクサと、
前記待機系装置が該待機系装置に接続されている機器から受信し、前記運用系装置の受信装置に送信するデータ信号及び制御信号を、前記待機系装置のマルチプレクサを用いてパラレル／シリアル変換することにより多重化し、１つのシリアル受信信号として前記待機系装置から前記運用系装置に送信し、前記運用系装置のデマルチプレクサを用いてシリアル／パラレル変換することにより逆多重化する手段と、
前記運用系装置の送信装置から入力し、前記待機系装置に接続されている機器に送信するデータ信号及び制御信号を、前記運用系装置のマルチプレクサを用いてパラレル／シリアル変換することにより多重化し、１つのシリアル送信信号として前記運用系装置から前記待機系装置に送信し、前記待機系装置のデマルチプレクサを用いてシリアル／パラレル変換することにより逆多重化する手段と、
を備えることを特徴とする送受信システム。
【００７９】
（付記２）付記１に記載の送受信システムであって、
前記運用系装置に接続されている機器及び前記待機系装置に接続されている機器は同数且つ複数であり、
前記運用系装置のマルチプレクサ、前記待機系装置のマルチプレクサ、前記運用系のデマルチプレクサ及び前記待機系のデマルチプレクサは、それぞれ、複数の機器が送受信する信号を扱うことを特徴とする送受信システム。
【００８０】
（付記３）付記１又は２に記載の送受信システムであって、
前記運用系装置が該運用系装置に接続されている機器から受信したデータ信号及び制御信号を、前記運用系装置の受信装置に供給する手段と、
前記運用系装置の送信装置から入力したデータ信号及び制御信号を、前記運用系装置に接続されている前記機器に送信する手段と、
を更に備えることを特徴とする送受信システム。
【００８１】
（付記４）付記３に記載の送受信システムであって、
前記待機系装置が該待機系装置に接続されている機器から受信したデータ信号及び制御信号の前記運用系装置の受信装置への供給を禁止する手段と、
前記運用系装置が該運用系装置に接続されている機器から受信したデータ信号及び制御信号の前記待機系装置の受信装置への供給を禁止する手段と、
前記待機系装置が該待機系装置に接続されている機器から受信したデータ信号及び制御信号の前記待機系装置の受信装置へ供給する手段と、
前記待機系装置の送信装置から入力したデータ信号及び制御信号の前記運用系装置に接続されている前記機器への送信を禁止する手段と、
前記運用系装置の送信装置から入力したデータ信号及び制御信号の前記待機系装置に接続されている前記機器への送信を禁止する手段と、
前記待機系装置の送信装置から入力したデータ信号及び制御信号を前記待機系に接続されている前記機器へ供給する手段と、
を更に備えることを特徴とする送受信システム。
【００８２】
（付記５）付記１乃至４の何れか１に記載の送受信システムであって、
ボーレート×Ｍ×Ｎ
であって、
Ｍは、前記シリアル受信信号又は前記シリアル送信信号に要する数値以上の最低の２のべき乗の整数
Ｎは１以上の整数
であることを特徴とする送受信システム。
【００８３】
（付記６）運用系装置と待機系装置との間でデータ信号及び制御信号を送受信する送受信方法であって、
前記待機系装置が該待機系装置に接続されている機器から受信し、前記運用系装置の受信装置に送信するデータ信号及び制御信号を、前記待機系装置のマルチプレクサを用いてパラレル／シリアル変換することにより多重化し、１つのシリアル受信信号として前記待機系装置から前記運用系装置に送信し、前記運用系装置のデマルチプレクサを用いてシリアル／パラレル変換することにより逆多重化するステップと、
前記運用系装置の送信装置から入力し、前記待機系装置に接続されている機器に送信するデータ信号及び制御信号を、前記運用系装置のマルチプレクサを用いてパラレル／シリアル変換することにより多重化し、１つのシリアル送信信号として前記運用系装置から前記待機系装置に送信し、前記待機系装置のデマルチプレクサを用いてシリアル／パラレル変換することにより逆多重化するステップと、
を有することを特徴とする送受信方法。
【００８４】
（付記７）付記６に記載の送受信方法であって、
前記運用系装置に接続されている機器及び前記待機系装置に接続されている機器は同数且つ複数であり、
前記運用系装置のマルチプレクサ、前記待機系装置のマルチプレクサ、前記運用系のデマルチプレクサ及び前記待機系のデマルチプレクサは、それぞれ、複数の機器が送受信する信号を扱うことを特徴とする送受信方法。
【００８５】
（付記８）付記６又は７に記載の送受信方法であって、
前記運用系装置が該運用系装置に接続されている機器から受信したデータ信号及び制御信号を、前記運用系装置の受信装置に供給するステップと、
前記運用系装置の送信装置から入力したデータ信号及び制御信号を、前記運用系装置に接続されている前記機器に送信するステップと、
を更に備えることを特徴とする送受信方法。
【００８６】
（付記９）付記８に記載の送受信方法であって、
前記待機系装置が該待機系装置に接続されている機器から受信したデータ信号及び制御信号の前記運用系装置の受信装置への供給を禁止するステップと、
前記運用系装置が該運用系装置に接続されている機器から受信したデータ信号及び制御信号の前記待機系装置の受信装置への供給を禁止するステップと、
前記待機系装置が該待機系装置に接続されている機器から受信したデータ信号及び制御信号の前記待機系装置の受信装置へ供給するステップと、
前記待機系装置の送信装置から入力したデータ信号及び制御信号の前記運用系装置に接続されている前記機器への送信を禁止するステップと、
前記運用系装置の送信装置から入力したデータ信号及び制御信号の前記待機系装置に接続されている前記機器への送信を禁止するステップと、
前記待機系装置の送信装置から入力したデータ信号及び制御信号を前記待機系に接続されている前記機器へ供給するステップと、
を更に備えることを特徴とする送受信方法。
【００８７】
（付記１０）付記６乃至９の何れか１に記載の送受信方法であって、
ボーレート×Ｍ×Ｎ
であって、
Ｍは、前記シリアル受信信号又は前記シリアル送信信号に要する数値以上の最低の２のべき乗の整数
Ｎは１以上の整数
であることを特徴とする送受信方法。
【産業上の利用可能性】
【００８８】
本発明は、交換機、ルータ、Ｅｔｈｅｒｎｅｔ（登録商標）ＨＵＢ等のＲＳ２３２−Ｃインタフェース（調歩同期）を具備し、且つ、二重化構成が存在する装置に好適に使用することができる。
【符号の説明】
【００８９】
１０  ＲＳ２３２−Ｃ接続機器
１１、２１  入出力コネクタ
１２、２２  ＲＳ２３２−Ｃトランシーバ
１３、２３  セレクタ
１４、２４  ＵＡＲＴ
１５、２５  マルチプレクサ／デマルチプレクサ
１６、２６  クロック／フレームヘッド生成回路
１３−１、１３−２、１３−４  ゲート
１３−６、１３−７、１３−８  ゲート
２３−１、２３−２、２３−４  ゲート
２３−６、２３−７、２３−８  ゲート
１５−１、１５−４、２５−１、２５−４  マルチプレクサ
１５−２、１５−３、２５−２、２５−３  デマルチプレクサ
１３−３、１３−５、２３−３、２３−５  論理和回路
【要約】
【課題】待機系装置に接続された機器から受信した信号及び待機系装置に接続された機器に送信しようとする信号を、運用系装置に搭載された送受信装置で扱うことが可能な送受信システム及び方法を提供する。
【解決手段】運用系装置の受信装置に送信するデータ信号及び制御信号を、マルチプレクサを用いてパラレル／シリアル変換して多重化し、１つのシリアル受信信号として運用系装置に送信し、運用系装置のデマルチプレクサを用いてシリアル／パラレル変換して逆多重化する。また、待機系装置に接続されている機器に送信するデータ信号及び制御信号を、マルチプレクサを用いてパラレル／シリアル変換して多重化し、１つのシリアル送信信号として運用系装置から待機系装置に送信し、待機系装置のデマルチプレクサを用いてシリアル／パラレル変換することにより逆多重化する。
【選択図】図１【図１】
0004756228.tif 000002
【図２】
0004756228.tif 000003
【図３】
0004756228.tif 000004
【図４】
0004756228.tif 000005
【図５】
0004756228.tif 000006
【図６】
0004756228.tif 000007
【図７】
0004756228.tif 000008
【図８】
0004756228.tif 000009
【図９】
0004756228.tif 000010
【図１０】
0004756228.tif 000011
【図１１】
0004756228.tif 000012
【図１２】
0004756228.tif 000013